(57)【特許請求の範囲】
【請求項１】
ワイヤレス信号を受信する受信部と、
電源から負荷への給電路を開閉する開閉部と、
前記受信部が受信したワイヤレス信号に応じて前記開閉部の開閉状態を制御することにより前記負荷の動作を制御する制御部と、
前記受信部、前記開閉部及び前記制御部を収納する受信器本体と、
前記受信器本体の前面にそれぞれ操作部が配置された第１スイッチ及び第２スイッチと、
前記第１スイッチの操作部を露出させる開口部を有し前記受信器本体の前面側に取り付けられて前記第２スイッチの操作部を覆う第１カバーと、
前記第１カバーの前面側に取り付けられて前記開口部から露出する前記第１スイッチの操作部を覆う第２カバーとを備えることを特徴とするワイヤレス受信器。
【請求項２】
埋込配線器具用の取付枠を用いて前記受信器本体が造営材に取り付けられ、前記取付枠の前側に取り付けられた化粧プレートの孔から前記受信器本体の前面が露出した状態で、前記第１カバーの周りに配置される前記化粧プレートによって、前記第１カバーの取り外しが規制されることを特徴とする請求項１記載のワイヤレス受信器。
【請求項３】
前記第１カバーは、前記受信器本体に設けられた第１被係止部に引っ掛かる第１係止爪を備え、
前記第２カバーは、前記第１カバーに設けられた第２被係止部に引っ掛かる第２係止爪を備え、
前記第１係止爪が前記第１被係止部に引っ掛かる引掛方向と、前記第２係止爪が前記第２被係止部に引っ掛かる引掛方向とが互いに直交することを特徴とする請求項１又は２の何れか記載のワイヤレス受信器。
【請求項４】
前記第１係止爪が前記第１被係止部に引っ掛かる引掛方向と直交する方向から前記第１係止爪と当接することによって、前記引掛方向と直交する方向において前記第１係止爪の移動範囲を規制する規制部が前記受信器本体に設けられたことを特徴とする請求項３記載のワイヤレス受信器。
【請求項５】
前記受信器本体及び前記第１カバーのうちの一方には、他方に設けた突出部にガイド面を摺接させることによって、前記第１被係止部に引っ掛かる位置に前記第１係止爪をガイドするガイドリブが設けられたことを特徴とする請求項３又は４の何れか記載のワイヤレス受信器。
【請求項６】
前記第１スイッチは、前記負荷の動作状態を切り替えるためのスイッチであり、
前記第２スイッチは、前記受信部の受信動作に関わる設定を行うためのスイッチであることを特徴とする請求項１乃至５の何れか１項に記載のワイヤレス受信器。
【請求項７】
前記受信器本体が造営面に取り付けられた状態で前記開口部の内側面に上下方向と平行な方向から当接することによって、上下方向において前記第２カバーを前記第１カバーに位置決めする当接部が前記第２カバーに設けられたことを特徴とする請求項１乃至６の何れか１項に記載のワイヤレス受信器。
【発明の詳細な説明】
【技術分野】
【０００１】
本発明は、ワイヤレス受信器に関するものである。
【背景技術】
【０００２】
従来、ワイヤレス信号を受信する受信部と、電源から負荷への給電路に接続された開閉手段と、受信部の受信したワイヤレス信号に応じて開閉手段を制御することで負荷をオン又はオフさせる制御手段とを備えたスイッチがある（例えば特許文献１参照）。このスイッチには、器体の前面の略全体を覆うように操作ハンドルが取り付けられている。この操作ハンドルが押されると、器体の前面に配置されたタクトスイッチが操作ハンドルの裏面で押され、タクトスイッチから制御手段に操作信号が入力される。制御手段では、タクトスイッチからの操作信号が入力されると、開閉手段をオン又はオフさせている。したがって、このスイッチでは、操作ハンドルの操作又は受信部が受信したワイヤレス信号に応じて負荷をオン又はオフさせている。
【先行技術文献】
【特許文献】
【０００３】
【特許文献１】特開２００６−２５３０９２号公報
【発明の概要】
【発明が解決しようとする課題】
【０００４】
上記特許文献に開示されたスイッチでは、点灯時間を調整するための操作つまみと、ワイヤレス信号のチャンネルを設定するための操作つまみとが器体の前面に配置されている。これらの操作スイッチは操作ハンドルで覆われているため、常時は操作スイッチの操作が行えないようになっている。一方、設定作業のために操作ハンドルが取り外されると、点灯時間調整用の操作つまみやチャンネル設定用の操作つまみが全て露出し、操作可能な状態となっていた。また操作ハンドルは常に操作可能な状態となっており、この操作ハンドルを操作不能な状態とすることはできなかった。
【０００５】
本発明は上記課題に鑑みて為されたものであり、その目的とするところは、複数のスイッチで操作可能な範囲を切り替え可能なワイヤレス受信器を提供することにある。
【課題を解決するための手段】
【０００６】
上記課題を解決するために、本願のワイヤレス受信器は、受信部と、開閉部と、制御部と、受信器本体と、第１スイッチ及び第２スイッチと、第１カバーと、第２カバーとを備えることを特徴とする。受信部はワイヤレス信号を受信する。開閉部は電源から負荷への給電路を開閉する。制御部は、受信部が受信したワイヤレス信号に応じて開閉部の開閉状態を制御することにより負荷の動作状態を制御する。受信器本体は受信部、開閉部及び制御部を収納する。第１スイッチ及び第２スイッチの操作部はそれぞれ受信器本体の前面に配置されている。第１カバーは、第１スイッチの操作部を露出させる開口部を有し受信器本体の前面側に取り付けられて第２スイッチの操作部を覆う。第２カバーは、第１カバーの前面側に取り付けられて開口部から露出する第１スイッチの操作部を覆う。尚、第１スイッチの数、第２スイッチの数はそれぞれ１個に限定されるものではなく、第１スイッチの数、第２スイッチの数はそれぞれ複数でもよい。
【０００７】
このワイヤレス受信器において、埋込配線器具用の取付枠を用いて受信器本体が造営材に取り付けられ、取付枠の前側に取り付けられた化粧プレートの孔から受信器本体の前面が露出する。この状態で、第１カバーの周りに配置される化粧プレートによって、第１カバーの取り外しが規制されることも好ましい。
【０００８】
このワイヤレス受信器において、第１カバーは、受信器本体に設けられた第１被係止部に引っ掛かる第１係止爪を備え、第２カバーは、第１カバーに設けられた第２被係止部に引っ掛かる第２係止爪を備えている。そして、第１係止爪が第１被係止部に引っ掛かる引掛方向と、第２係止爪が第２被係止部に引っ掛かる引掛方向とが互いに直交することも好ましい。
【０００９】
このワイヤレス受信器において、第１係止爪が第１被係止部に引っ掛かる引掛方向と直交する方向から第１係止爪と当接することによって、上記引掛方向と直交する方向において第１係止爪の移動範囲を規制する規制部が受信器本体に設けられることも好ましい。
【００１０】
このワイヤレス受信器において、受信器本体及び第１カバーのうちの一方には、他方に設けた突出部にガイド面を摺接させることによって、第１被係止部に引っ掛かる位置に第１係止爪をガイドするガイドリブが設けられることも好ましい。
このワイヤレス受信器において、第１スイッチは、負荷の動作状態を切り替えるためのスイッチであり、第２スイッチは、受信部の受信動作に関わる設定を行うためのスイッチであることも好ましい。
【００１１】
このワイヤレス受信器において、受信器本体が造営面に取り付けられた状態で開口部の内側面に上下方向と平行な方向から当接することによって、上下方向において第２カバーを第１カバーに位置決めする当接部が第２カバーに設けられることも好ましい。
【発明の効果】
【００１３】
本発明によれば、受信器本体に第１カバー及び第２カバーが両方共に取り付けられた状態では第１スイッチ、第２スイッチを両方共に操作できない。一方、第２カバーが外されると第１スイッチのみ操作可能になり、第２カバー及び第１カバーが両方共に外されると第１スイッチ及び第２スイッチが両方共に操作可能となる。したがって、複数のスイッチ（第１スイッチ及び第２スイッチからなる）で操作可能な範囲を切り替えることができる。
【図面の簡単な説明】
【００１４】
【図１】本実施形態のワイヤレス受信器を示し、（ａ）はベースカバー及びトップカバーを外した状態の外観斜視図、（ｂ）はベースカバーのみを取り付けた状態の外観斜視図、（ｃ）はベースカバー及びトップカバーが取り付けられた状態の外観斜視図である。
【図２】同上の分解斜視図である。
【図３】同上の受信器本体にベースカバーを取り付ける前の状態を示す斜視図である。
【図４】同上の受信器本体にベースカバーが取り付けられた状態を上側から見た図である。
【図５】同上の受信器本体にベースカバーを取り付ける前の状態を示す斜視図である。
【図６】同上の受信器本体にベースカバーが取り付けられた状態を示す要部の斜視図である。
【図７】同上のベースカバーにトップカバーを取り付ける前の状態を示す斜視図である。
【図８】同上のベースカバーにトップカバーが取り付けられた状態を示す斜視図である。
【図９】同上のワイヤレス受信器を示し、（ａ）はトップカバーの着脱方向を説明する外観斜視図、（ｂ）はベースカバーの着脱方向を説明する外観斜視図である。
【図１０】（ａ）は同上を取り付けた取付枠に化粧カバーが取り付けられた状態の外観斜視図、（ｂ）はトップカバーを取り外す途中の状態の外観斜視図である。
【図１１】同上のブロック図である。
【発明を実施するための形態】
【００１５】
以下にワイヤレス受信器の実施形態を図１〜図１１に基づいて説明する。
【００１６】
本実施形態のワイヤレス受信器は、送信器から送信されるワイヤレス信号（例えば電波信号や光信号など）を受信し、受信したワイヤレス信号に基づいて、例えば大規模店舗や公共施設などの建物に設置された施設照明の点灯／消灯を制御するために用いられる。
【００１７】
図１１はワイヤレス受信器１のブロック図であり、ワイヤレス受信器１は、制御部１０と、受信部１１と、開閉部１２と、表示部１３と、第１スイッチ１４と、第２スイッチ１５と、電源回路部１６とを主要な構成として備えている。
【００１８】
制御部１０は例えばマイクロコンピュータからなり、ワイヤレス受信器１の全体的な制御を行う。
【００１９】
受信部１１は、送信器２から送信されるワイヤレス信号を受信する。ここにおいて、送信器２は、例えば検知エリアにおける人の存否を検知する人感センサを有し、人感センサが人を検知すると照明負荷４を点灯させる点灯命令をワイヤレス信号で送信する。また送信器２は、人感センサが人を検知しなくなってから所定の点灯保持時間が経過すると、照明負荷４を消灯させる消灯命令をワイヤレス信号で送信する。
【００２０】
開閉部１２は例えばトライアックのようなスイッチング素子からなり、商用交流電源３から照明負荷４への給電路の途中に接続され、制御部１３からの制御信号によって開閉状態が制御される。開閉部１２がオンになると照明負荷４に電源が供給されて照明負荷４が点灯する。開閉部１２がオフになると照明負荷４への電源供給が遮断されて、照明負荷４が消灯する。
【００２１】
表示部１３は例えば発光ダイオードからなり、点灯、消灯、点滅などの各状態に応じて受信器自体の動作状態を表示する。
【００２２】
第１スイッチ１４は、照明負荷４のオン／オフを切り替えるためのスイッチである。本実施形態では第１スイッチ１４として、３ポジションのスライドスイッチが用いられている。第１スイッチ１４の切替位置によって、照明負荷４の制御モードが、常時消灯させる消灯モード、常時点灯させる点灯モード、ワイヤレス信号に応じて点灯又は消灯させる自動モードの何れかに切り替えられる。
【００２３】
第２スイッチ１５は、送信器２の識別情報（ＩＤ）をメモリ（図示せず）に記憶させる登録スイッチ１５ａと、メモリに記憶された識別番号を消去するための消去スイッチ１５ｂとからなり、両スイッチ１５ａ，１５ｂはそれぞれタクトスイッチで構成される。尚、個々の送信器２には別個の識別情報が登録されており、ワイヤレス受信器１に当該受信器と組み合わせて使用される送信器２の識別情報を登録しておくことで、他の送信器２からのワイヤレス信号によって照明負荷４が制御されないようにしている。
【００２４】
電源回路部１６は、上述した各部の動作電源を生成して、各部に供給する。
【００２５】
次に、ワイヤレス受信器１の各部の構造を図１〜図１０に基づいて説明する。尚、以下の説明では特に断りが無い限り、図２の矢印ａ−ｂを前後方向、矢印ｃ−ｄを上下方向、矢印ｅ−ｆを左右方向として説明を行う。
【００２６】
ワイヤレス受信器１は、後ボディ２１及び前ボディ２２からなる受信器本体２０と、ベースカバー２３（第１カバー）と、トップカバー２４（第２カバー）と、プリント配線板２５，２６と、端子装置３０と、操作摘み３１とを主要な構成として備えている。
【００２７】
受信器本体２０は、埋込配線器具用に規格化された金属製の取付枠６０に取付可能であり、所謂３個モジュール寸法に形成されている。ここで、取付枠６０に３個まで並べて取付可能な埋込配線器具の大きささを１個モジュール寸法といい、１個モジュール寸法の埋込配線器具を３個並べたのと略同じ大きさを３個モジュール寸法と言う。
【００２８】
この受信器本体２０は、合成樹脂により前面が開口した略箱状に形成された後ボディ２１と、合成樹脂により後面が開口した略箱状に形成され、互いの開口部を塞ぐようにして後ボディ２１に取り付けられる前ボディ２２とで構成されている。図３及び図４に示すように、前ボディ２２の上面及び下面には、それぞれ、後端部の左右両側からそれぞれ後方に向かって突出する組立片３２が２個ずつ設けられている。後ボディ２１の上面及び下面には、前ボディ２２の組立片３２とそれぞれ対応する位置に、組立片３２の孔３２ａに係止する突起３３が設けられている。而して、各組立片３２の孔３２ａに突起３３を係止させることによって、後ボディ２１と前ボディ２２とが結合される。
【００２９】
受信器本体２０の前部を構成する前ボディ２２の左右両側面には、取付枠６０の左右の側片６１に設けられた孔６３にそれぞれ係止する２個で１組の係止爪３４が上下両側に１組ずつ設けられている。受信器本体２０は、係止爪３４を孔６３に係止させることによって取付枠６０に取り付けられる。受信器本体２０が取付枠６０に取り付けられた状態では、取付枠６０の中央の窓孔６０ａから受信器本体２０の前面の略全体が前方に突出している。取付枠６０の前側には、図１０（ａ）に示すように取付枠６０の窓孔６０ａよりも上下方向の長さが長く且つ幅広の孔７０ａを備えた化粧プレート７０（プレート枠７１及び化粧枠７２からなる）が取り付けられる。取付枠６０の上下の枠片６２には、プレート枠７１をネジ固定するためのネジ穴６４が設けられ、プレート枠７１は固定ねじ（図示せず）を用いて取付枠６０にネジ止めされる。そして、化粧枠７２の裏面に設けた爪（図示せず）をプレート枠７１の前面に設けた孔（図示せず）に係止させることによって、プレート枠７１の前側に化粧枠７２が取り付けられ、固定ネジなどを化粧枠７２で覆うことによって外観の見栄えを向上させている。また化粧プレート７０が取付枠６０の前側に取り付けられた状態では、化粧プレート７０の孔７０ａからワイヤレス受信器１の前面が露出する。
【００３０】
受信器本体２０の内部には、２枚のプリント配線板２５，２６と、端子装置３０と、操作摘み３１とが収納されている。プリント配線板２５には、開閉部１２及び電源回路部１６を構成する回路部品や、端子装置３０を構成する端子板２７などが実装されている。プリント配線板２６には、制御部１０や受信部１１や表示部１３や第１スイッチ１４や第２スイッチ１５などの回路部品が実装されている。２枚のプリント配線板２５，２６は、プリント配線板２５を後側、プリント配線板２６を前側にして受信器本体２０内に収納されており、２枚のプリント配線板２５，２６の間は図示しないケーブルを介して電気的に接続されている。ここで、発光ダイオードからなる表示部１３や、スライドスイッチからなる第１スイッチ１４や、それぞれタクトスイッチからなる登録スイッチ１５ａ及び消去スイッチ１５ｂはプリント配線板２６の前面に配置されている。
【００３１】
一方、後ボディ２１の内部には、プリント配線板２５に実装された２個の端子板２７に対応する位置に端子収納室２１ａが設けられ、この端子収納室２１ａに２個の鎖錠ばね２８と解除釦２９とが収納される。プリント配線板２５が後ボディ２１内に収納されると、２個の鎖錠ばね２８はそれぞれ対応する端子板２７に対向して配置される。後ボディ２１の後面には、各組の端子板２７と鎖錠ばね２８との間の隙間にそれぞれ対応する位置に電線挿入口（図示せず）が設けられている。施工業者が電線挿入口に電線を挿入すると、端子板２７と鎖錠ばね２８との間に電線が挿入され、鎖錠ばね２８によって電線が端子板２７に押し付けられることで、電線と端子板２７とが電気的に接続される。また鎖錠ばね２８の先端が電線に引っかかり、電線に食い込むことによって、電線の引き抜きが防止されている。一方、施工業者が、後ボディ２１の後面に開口する操作孔（図示せず）に工具を挿入して解除釦２９を押すと、解除釦２９によって２個の鎖錠ばね２８がそれぞれ対応する端子板２７から離れる向きに押される。鎖錠ばね２８が端子板２７から離れる向きに押されると、鎖錠ばね２８と電線との係止状態が解除されるので、電線の引き抜きが可能になる。ここにおいて、各２個の端子板２７及び鎖錠ばね２８と、１個の解除釦２９とで速結型の端子装置３０が構成される。
【００３２】
プリント配線板２５に実装された第１スイッチ１４の操作子１４ａには、合成樹脂製の操作摘み３１（操作部）が被せられている。後ボディ２１に前ボディ２２を取り付けた状態では、前ボディ２２の前面に設けられた窓孔３５を通して操作摘み３１が前面側に露出するので、受信器本体２０の外部から操作摘み３１の操作が可能となっている。
【００３３】
また、前ボディ２２の前面には、登録スイッチ１５ａ及び消去スイッチ１５ｂをそれぞれ構成するタクトスイッチの操作子にそれぞれ対応する部位に操作釦３６ａ，３６ｂ（操作部）が設けられている。操作釦３６ａ，３６ｂは、上端部が半円形に形成された板状であって、下端部を除く略全周にスリットを形成することによって前ボディ２２に片持ち支持され、上端側が前後方向において撓み自在となっている。施工業者が操作釦３６ａ，３６ｂの上端側を押し込むと、操作釦３６ａ，３６ｂの裏側でそれぞれ対応する登録スイッチ１５ａ、消去スイッチ１５ｂが押操作されることになる。尚、消去スイッチ１５ｂに対応する操作釦３６ｂは、登録スイッチ１５ａに対応する操作釦３６ｂよりも後側であって、前ボディ２２の前面よりも若干後退した位置に設けられており、消去スイッチ１５ｂが誤って操作されないようにしている。また、前ボディ２２の前面には、プリント配線板２６の前面に実装された表示部１３に対応する位置に開口３７が設けられており、この開口３７を通して表示部１３の発光を視認できるようになっている。
【００３４】
また、前ボディ２２の前面上端部には、左右両側に凹部２２ａを設けることによって、左右方向の中央部に上側へ張り出す形で突出部３８が設けられ、突出部３８の左右両側には溝３９がそれぞれ設けられている。同様に、前ボディ２２の前面下端部にも、左右両側に凹部２２ａを設けることによって、左右方向の中央部に下側へ張り出す形で突出部３８が設けられ、突出部３８の左右両側には溝３９がそれぞれ設けられている。
【００３５】
ベースカバー２３は合成樹脂成形品からなり、図１（ｂ）及び図３〜図５に示すように、矩形板状の前板部２３ａと、前板部２３ａの全周から後方に突出する側部２３ｂとを一体に備えている。ベースカバー２３の上下方向の寸法及び左右方向の寸法は化粧プレート７０の孔７０ａよりも若干小さい寸法に設定されており、取付枠６０に取り付けられた受信器本体２０の前面側から着脱できるようになっている。前板部２３ａには、前ボディ２２の前面において操作摘み３１が露出する部位を、前方に露出させるための開口部２３ｃが設けられている。前板部２３ａの裏面には、前ボディ２２の溝３９にそれぞれ対応する位置から後方に向かって突出する係止片４０が上下に２個ずつ設けられている。上側にある２個の係止片４０には、先端部の下面から下側に突出する爪４０ａがそれぞれ設けられている。下側にある２個の係止片４０には、先端部の上面から上側に突出する爪４０ａがそれぞれ設けられている。また前板部２３ａの裏面には、前ボディ２２の突出部３８に対して左右両側に配置される各一対のガイドリブ４１が上下両側にそれぞれ設けられている。図４に示すように、突出部３８を間にして左右両側に配置される２個のガイドリブ４１の後面には、左右方向における中央位置から遠ざかるほど後方への突出量が大きくなるように傾斜するガイド面４１ａが形成されている。ベースカバー２３が受信器本体２０に取り付けられた状態では、左右両側のガイドリブ４１の間に突出部３８が挟まれた状態となり、左右両側の係止片４０の爪４０ａが対応する溝３９に係止している。また、ベースカバー２３の前板部２３ａには、左右の側縁にそれぞれ２個ずつ係止孔４２が設けられている。各係止孔４２は前後方向において前板部２３ａを貫通するように設けられ、左側の側縁に設けられた２個の係止孔４２の奥側は左側面に開口し、右側の側縁に設けられた２個の係止孔４２の奥側は右側面に開口している。
【００３６】
トップカバー２４は合成樹脂成形品であって、図１（ｃ），図７及び図８に示すように前面の大きさがベースカバー２３と略同じ矩形板状に形成されており、ベースカバー２３の前側に着脱自在に取り付けられる。トップカバー２４の裏面には、ベースカバー２３の係止孔４２にそれぞれ対応する位置から後方に突出する係止片４３が左右の側縁に２個ずつ設けられている。右側縁に設けられた２個の係止片４３には、右側面の後端部から右側へ向かって突出する爪４３ａがそれぞれ設けられている。同様に、左側縁に設けられた２個の係止片４３には、左側面の後端部から左側へ向かって突出する爪４３ａがそれぞれ設けられている。また、トップカバー２４の裏面には、ベースカバー２３の開口部２３ｃと対向する部位に、開口部２３ｃの上側面に当接する２個の突起４４ａと、開口部２３ｃの下側面に当接する２個の突起４４ｂとが設けられている。また、トップカバー２４の裏面には、左右の側縁の上下方向中央部に、取り外す際に指をかけるための溝４５がそれぞれ形成されている。また、トップカバー２４の裏面には、ベースカバー２３の前面の丸穴２３ｄ，２３ｅにそれぞれ対応する位置に突起２４ａ，２４ｂが設けられており、突起２４ａ，２４ｂと丸穴２３ｄ，２３ｅとが嵌合することでトップカバー２４の位置ずれが抑制されている。
【００３７】
ワイヤレス受信器１の各部は上記のような構造を有しており、以下のような手順で造営面に施工される。
【００３８】
受信器本体２０の内部にはプリント配線板２５，２６と端子装置３０と操作摘み３１とが予め組み込まれており、施工業者は、受信器本体２０の左右の係止爪３４を取付枠６０の孔６３に係止させることによって、受信器本体２０を取付枠６０に取り付ける。施工業者は、造営面に開口する器具取付用の取付孔（図示せず）から電線を引き出して、先端の被覆を剥き、この電線を電線挿入口から受信器本体２０の内部に挿入して端子装置３０に電気的に接続する。ワイヤレス受信器１への電線接続が完了すると、施工業者は電線の余長を取付孔に押し込んだ後、取付枠６０を適宜の方法（例えば埋込ボックスにネジで固定する方法や、挟み金具を用いて壁材に固定する方法）で造営面に固定する。尚、図１（ａ）に示すように受信器本体２０が取付枠６０に取り付けられた状態では、受信器本体２０の前部を構成する前ボディ２２が取付枠６０の窓孔６０ａから前方に露出している。
【００３９】
取付枠６０を用いて受信器本体２０が造営面に固定されると、施工業者は、このワイヤレス受信器１と組み合わせて使用される送信器２の識別情報を登録する作業を行う。ワイヤレス受信器１に電源が供給されている状態で、施工業者が登録スイッチ１５ａの操作釦３６ａを所定時間長押しすると、制御部１０は、登録スイッチ１５ａからの操作入力に応じて、識別情報を登録する登録モードに切り替わる。制御部１０は、登録モードに切り替わると、表示部１３を点滅させることによって登録モードに切り替わったことを施工業者に報知する。施工業者は、表示部１３の点滅状態から登録モードに切り替わったことを確認すると、このワイヤレス受信器１と組み合わせて使用される送信器２から識別情報を送信させる。送信器２から送信された識別情報を受信部１１が受信して制御部１０に出力すると、制御部１０はこの識別情報をメモリ（図示せず）に記憶させた後、表示部１３を例えば一定時間点灯させることによって識別情報を登録したことを施工業者に報知する。その後、施工業者が操作釦３６ａを所定時間長押しするか、或いは、登録モードに切り替わってから一定時間が経過すると、制御部１０は登録モードを終了して通常の制御モードに移行する。尚、識別情報が未登録の場合、制御部１０が、通常の制御モードや登録モードとは異なる状態で表示部１３を点灯或いは点滅させることによって、識別情報の登録を施工業者に促すようにしてもよい。また、施工業者が消去スイッチ１５ｂを所定時間長押しすると、制御部１０は、消去スイッチ１５ｂからの操作入力に応じてメモリに記憶された識別情報を消去する。この時、制御部１０は、通常の制御モードや登録モードとは異なる状態で表示部１３を点灯或いは点滅させることによって、識別情報が未登録であることを施工業者に報知する。
【００４０】
送信器２の識別情報を登録する作業が終了すると、施工業者は受信器本体２０の前側にベースカバー２３を取り付ける。施工業者が、ベースカバー２３の裏面を受信器本体２０の前面に向け、係止片４０と溝３９の位置を略一致させた状態でベースカバー２３を受信器本体２０の前面に近付けると、突出部３８の端部がガイドリブ４１のガイド面４１ａに当接する。施工業者が、ベースカバー２３を受信器本体２０側にさらに近付けると、ガイド面４１ａが突出部３８の端部に当接することによって、２個のガイドリブ４１の間に突出部３８が嵌まる位置にベースカバー２３がガイドされる（図４参照）。このように、左右方向においてベースカバー２３が受信器本体２０に位置決めされるので、係止片４０の爪４０ａが溝３９の周縁部に乗り上げることなく、溝３９内に確実に係止する。そして、係止片４０の爪４０ａが溝３９に引っ掛かることによって、図１（ｂ）及び図６に示すようにベースカバー２３が受信器本体２０に取り付けられる。ベースカバー２３が受信器本体２０に取り付けられた状態では、登録スイッチ１５ａ及び消去スイッチ１５ｂの操作釦３６ａ，３６ｂがベースカバー２３によって覆われているので、操作釦３６ａ，３６ｂを操作できない状態となる。また、第１スイッチ１４の操作摘み３１は開口部２３ｃから露出しているので、第１スイッチ１４の操作摘み３１は操作可能な状態となっている。
【００４１】
その後、施工業者は、トップカバー２４の裏面をベースカバー２３の前面に向け、係止片４３と係止孔４２の位置を合わせて、トップカバー２４をベースカバー２３側に近付ける。この時、係止片４３が対応する係止孔４２に挿入され、係止片４３の爪４３ａが係止孔４２の開口縁と係止することによって、トップカバー２４がベースカバー２３に取り付けられる（図１（ｃ）参照）。トップカバー２４がベースカバー２３に取り付けられた状態では、トップカバー２４によって操作摘み３１が覆われるので、第１スイッチ１４の操作摘み３１が操作不可能な状態となる。
【００４２】
最後に、施工業者は、取付枠６０の前側にプレート枠７１をネジ固定し、プレート枠７１の前側に化粧枠７２を取り付けることによって、ワイヤレス受信器１の施工が完了する（図１０（ａ）参照）。
【００４３】
次に、ワイヤレス受信器１が照明負荷４の点灯／消灯を制御する動作について説明する。照明負荷４が設置された建物の施設管理者は第１スイッチ１４を操作することによって照明負荷４の制御モードを選択することができる。施設管理者が第１スイッチ１４を操作して消灯モードを選択した場合、制御部１０は、受信部１１の受信したワイヤレス信号に関係無く、開閉部１２を常時オフさせて、照明負荷４を常時消灯させる。施設管理者が第１スイッチ１４を操作して点灯モードを選択した場合、制御部１０は、受信部１１の受信したワイヤレス信号に関係無く、開閉部１２を常時オンさせて、照明負荷４を常時点灯させる。また施設管理者が第１スイッチ１４を操作して自動モードを選択した場合、制御部１０は、受信部１１が受信したワイヤレス信号に応じて照明負荷４の点灯状態が自動的に制御される。受信部１１がワイヤレス信号を受信すると、制御部１０は、ワイヤレス信号に含まれる識別情報がメモリに登録された識別情報に一致するか否かを判定し、識別情報が一致するとワイヤレス信号に含まれる制御命令を取り込む。そして、制御部１０は、取り込んだ制御命令（点灯命令又は消灯命令）に応じて開閉部１２をオン又はオフさせることによって、照明負荷４を自動的に点灯又は消灯させる。
【００４４】
ところで、上述のようにワイヤレス受信器１が造営面に施工された状態では、図１０（ａ）に示すように、ベースカバー２３及びトップカバー２４によって、第１スイッチ１４の操作摘み３１や、第２スイッチ１５の操作釦３６ａ，３６ｂが隠されている。したがって、ワイヤレス受信器１が設置された建物を利用する一般のユーザ（例えば大規模店舗や公共施設を一時的に利用する客など）には操作摘み３１や操作釦３６ａ，３６ｂの存在が判らない。よって、一般のユーザが操作摘み３１や操作釦３６ａ，３６ｂを操作したり、操作摘み３１や操作釦３６ａ，３６ｂに誤って触れる可能性が減り、一般のユーザによって照明負荷４の制御モードが変更されたり、無線通信の設定が変更される可能性が減少する。
【００４５】
一方、ワイヤレス受信器１の使用状態において、このワイヤレス受信器１が設置された施設を管理する施設管理者が、ワイヤレス受信器１による照明負荷４の制御モードを切り替える場合について説明する。図１０（ａ）に示すように、トップカバー２４の全体が化粧プレート７０の前面よりも前側に配置されているので、トップカバー２４の左右両側縁にある溝４５に、指を引っ掛けることができるようになっている。したがって、施設管理者が制御モードを変更したい場合、施設管理者は、トップカバー２４の左側縁又は右側縁に設けられた溝４５に爪を引っ掛けて手前側に引っ張ることで、左右何れかの側にある係止片４３の爪４３ａと係止孔４２との係止状態を解除する。片側にある係止片４３の爪４３ａと係止孔４２との係止状態が解除されると、施設管理者は、トップカバー２４の反対側を手前側に引っ張り、反対側にある係止片４３を係止孔４２の外に出すことによって、トップカバー２４をベースカバー２３から取り外す。この時、第１スイッチ１４の操作摘み３１がベースカバー２３の開口部２３ｃから前方に露出しているので、施設管理者は、操作摘み３１を操作して照明負荷４の制御モードを切り替えることができる。制御モードの切替作業が終了すると、施設管理者は、トップカバー２４をベースカバー２３の前面に取り付け、トップカバー２４で操作摘み３１を覆った状態とする。
【００４６】
以上説明したように、本実施形態のワイヤレス受信器１は、受信部１１と、開閉部１２と、制御部１０と、受信器本体２０と、第１及び第２スイッチ１４，１５と、第１カバー（ベースカバー２３からなる）と、第２カバー（トップカバー２４からなる）とを備える。受信部１１はワイヤレス信号を受信する。開閉部１２は電源から負荷（本実施形態では照明負荷４）への給電路を開閉する。制御部１０は、受信部１１が受信したワイヤレス信号に応じて開閉部１２の開閉状態を制御することにより負荷の動作を制御する。受信器本体２０は受信部１１と開閉部１２と制御部１０とを収納する。第１スイッチ１４及び第２スイッチ１５は、受信器本体２０の前面にそれぞれ操作部が配置されている。第１カバーたるベースカバー２３は、第１スイッチ１４の操作部（操作摘み３１）を露出させる開口部２３ｃを有し、受信器本体２０の前面側に取り付けられて第２スイッチ１５の操作部（操作釦３６ａ，３６ｂ）を覆う。第２カバーたるトップカバー２４は、第１カバーの前面側に取り付けられて、開口部２３ｃから露出する第１スイッチ１４の操作部を覆っている。
【００４７】
本発明によれば、受信器本体に第１カバー及び第２カバーが両方共に取り付けられた状態では第１スイッチ、第２スイッチを両方共に操作できないようになっている。一方、第２カバーが外されると第１スイッチのみ操作可能になり、第１カバー及び第２カバーが両方共に外されると第１スイッチ及び第２スイッチが両方共に操作可能となる。したがって、第１カバー及び第２カバーの着脱状態に応じて、複数のスイッチ（第１スイッチ及び第２スイッチからなる）で操作可能な範囲を切り替えることができる。
【００４８】
また、受信器本体２０は埋込配線器具用の取付枠６０を用いて造営材に取り付けられ、受信器本体２０の前面が中央の孔７０ａから露出するようにして取付枠６０の前側に化粧プレートが取り付けられる。この状態で、第１カバー（ベースカバー２３）の周りに配置される化粧プレート７０によって、第１カバーの取り外しが規制されている。ここにおいて、本実施形態では、孔７０ａの内面とベースカバー２３の側部２３ｂとの間の隙間を人の指が入らないような狭い隙間とし、ベースカバー２３の前面を化粧プレート７０の前面と略面一としている。
【００４９】
これにより、化粧プレート７０が取付枠６０に取り付けられた状態では、ベースカバー２３の側部２３ｂに指を掛けることができず、ベースカバー２３を取り外すことができないから、第２スイッチ１５の操作を行えないようにできる。したがって、ワイヤレス受信器１の施工作業を行う施工業者には第２スイッチ１５の操作が可能であるが、ワイヤレス受信器１０の施工後にワイヤレス受信器１０を運用する施設管理者では第２スイッチ１５の操作が行えないようになっている。
【００５０】
尚、孔７０ａの内面とベースカバー２３の側部２３ｂとの隙間を指が入らないように狭くし、ベースカバー２３の前面を化粧プレート７０の前面と略面一にすることで、ベースカバー２３の取り外しが規制されているが、取り外しを規制する方法は上記の方法に限定されない。例えば化粧プレート７０とベースカバー２３とを係止させることによって、ベースカバー２３の取り外しを規制してもよい。また、第２カバーたるトップカバー２４は、化粧プレート７０の前面よりも前側に位置しているので、取付枠６０に化粧プレート７０が取り付けられた状態でも、トップカバー２４の溝４５に爪を引っ掛けることができ、トップカバー２４の着脱は可能である。
【００５１】
ところで、上述したようにトップカバー２４に設けられた係止片４３の爪４３ａと、ベースカバー２３に設けられた係止孔４２の開口縁とは左右方向において係止する。また、ベースカバー２３に設けられた係止片４０の爪４０ａと、受信器本体２０の溝３９とは、上下方向において係止している。すなわち、第１係止爪（爪４０ａ）が第１被係止部（溝３９）に引っ掛かる引掛方向と、第２係止爪（爪４３ａ）が第２被係止部（係止孔４２）に引っ掛かる引掛方向とが互いに直交している。
【００５２】
これにより、ユーザがトップカバー２４をベースカバー２３から取り外す際は、トップカバー２４の左側又は右側にある溝４５に爪を引っ掛けて、手前側に引っ張ることで、片側（左側又は右側）にある係止片４３の爪４３ａと係止孔４２との係止状態が解除される。この時、ベースカバー２３の爪４０ａが溝３９に引っ掛かる引掛方向は、爪４３ａが係止孔４２と引っ掛かる引掛方向と略直交しているので、トップカバー２４をベースカバー２３から取り外す際にベースカバー２３が一緒に外れにくくなる。また、ユーザがベースカバー２３を受信器本体２０から取り外す際は、ベースカバー２３の上部又は下部を手前側に引っ張ることで、片側（上側又は下側）にある係止片４０の爪４０ａと溝３９との係止状態が解除される。したがって、ベースカバー２３の爪４０ａが溝３９に引っ掛かる引掛方向は、爪４３ａが係止孔４２と引っ掛かる引掛方向と略直交しているので、ベースカバー２３を取り外す際にトップカバー２４のみが外れにくくなる。
【００５３】
また本実施形態では、図４に示すように、係止片４０の外側（左右方向の中心位置と反対側）の端面と溝３９の内面との隙間Ｄ１が略ゼロに設定されている。したがって、ベースカバー２３の右端又は左端を前方に引っ張るような力がベースカバー２３に加えられたとしても、係止片４０の外側の端面が溝３９の内面に当接することで、ベースカバー２３の右端又は左端が前方へ移動しにくくなる。よって、係止片４０の爪４０ａが溝３９と係止する方向（上下方向）と直交する方向（左右方向）の力がベースカバー２３に加わったとしても、爪４０ａと溝３９との係止状態が外れにくくなり、ベースカバー２３が受信器本体２０から外れにくくなる。
【００５４】
このように、第１係止爪（係止片４０の爪４０ａ）が第１被係止部（溝３９）に引っ掛かる引掛方向と直交する方向から第１係止爪（係止片４０の爪４０ａ）と当接することによって、上記引掛方向と直交する方向において第１係止爪の移動範囲を規制する規制部（溝３９の端面）が受信器本体２０に設けられている。
【００５５】
これにより、第１係止爪（係止片４０の爪４０ａ）が第１被係止部（溝３９）に引っ掛かる引掛方向と直交する方向の力が第１カバーに加わったとしても、第１係止爪と第１被係止部との係止状態が外れにくくなり、第１カバーが受信器本体２０から外れにくくなる。
【００５６】
また本実施形態では、左右方向においてベースカバー２３を受信器本体２０に位置決めするために、ベースカバー２３の裏面には、受信器本体２０の突出部３８を両側から挟むようにガイドリブ４１が設けられている。したがって、ベースカバー２３が受信器本体２０に取り付けられる際に、ガイドリブ４１のガイド面４１ａに突出部３８の端部が当接することで、２個のガイドリブ４１の間に突出部３８が嵌まるように、ベースカバー２３が受信器本体１０に対して位置決めされる。このように、左右方向において第１カバー２２が受信器本体２０に位置決めされるので、係止片４０の爪４０ａが溝３９の周縁部に乗り上げることなく、爪４０ａが溝３９に引っ掛かることで、ベースカバー２３が受信器本体２０に取り付けられる。
【００５７】
このように、受信器本体２０及び第１カバー（ベースカバー２３）の内の一方には、他方に設けた突出部２８にガイド面４１ａを摺接させることで、第１被係止部（溝３９）に引っ掛かる位置に第１係止爪（係止爪４０の爪４０ａ）をガイドするガイドリブ４１が設けられている。
【００５８】
これにより、第１被係止部と第１係止部との位置を合わせて、第１被係止部に第１係止爪を確実に係止させることができる。
【００５９】
また本実施形態では、第１スイッチ１４が、負荷の動作状態を切り替えるためのスイッチからなり、第２スイッチ１５が、受信部１１の受信動作に関わる設定を行うためのスイッチからなる。
【００６０】
これにより、施工時に使用される第２スイッチ１５は第２カバーを外した状態でも隠されているので、第２スイッチ１５が誤って操作されて、受信動作に関わる設定が意図に反して変更される可能性を低減できる。また、負荷の動作状態を変更したい場合は、第２カバーを外すと、第１スイッチの操作部が第１カバーの開口部から露出するので、第１スイッチの操作部を操作することによって、負荷の動作状態を変更することができる。尚、本実施形態では第１スイッチ１４が負荷の制御モードを切り換えるスイッチであり、第２スイッチ１５が識別情報の設定に関わるスイッチであるが、第１スイッチ１４及び第２スイッチ１５の用途は上記の用途に限定されない。
【００６１】
またトップカバー２４の裏面には、ベースカバー２３の開口部２３ｃと対向する部位に、開口部２３ｃの上側面に当接する２個の突起４４ａと、開口部２３ｃの下側面に当接する２個の突起４４ｂとが設けられている。そして、ベースカバー２３にトップカバー２４を取り付けた状態では、突起４４ａが開口部２３ｃの上側面に当接し、突起４４ｂが開口部２３ｃの下側面に当接することで、トップカバー２４をベースカバー２３に対して上下方向に位置決めすることができる。また、突起４４ａ，４４ｂは、トップカバー２４の上下方向における中心線に対して非対称な位置に設けられている。したがって、突起４４ａ，４４ｂを開口部２３ｃの内側面に当接させることによって、トップカバー２４の位置が上下方向において位置決めされ、且つ、トップカバー２４が上下逆さまに取り付けられることがない。
【００６２】
上述のように本実施形態では、受信器本体２０が造営面に取り付けられた状態で開口部２３ｃの内側面に上下方向と平行な方向から当接することによって、上下方向において第２カバー（トップカバー２４）を第１カバー（ベースカバー２３）に位置決めする突起４４ａ，４４ｂ（当接部）が第２カバーに設けられている。これにより、第２カバーが第１カバーに取り付けられた状態では、第２カバーの突起が開口部の内側面に当接することによって、上下方向において第２カバーを第１カバーに対して位置決めすることができる。
【００６３】
尚、上述の実施形態では制御対象の負荷が照明負荷４である場合について説明したが、負荷を照明負荷に限定する趣旨のものではなく、空調装置や音響装置など照明以外の負荷でもよい。
【符号の説明】
【００６４】
１  ワイヤレス受信器
３  商用交流電源
４  照明負荷
１０  制御部
１１  受信部
１２  開閉部
１４  第１スイッチ
１５  第２スイッチ
１５ａ  登録スイッチ
１５ｂ  消去スイッチ
２０  受信器本体
２３  ベースカバー（第１カバー）
２３ｃ  開口部
２４  トップカバー（第２カバー）
３１  操作摘み（第１スイッチの操作部）
３６ａ，３６ｂ  操作釦（第２スイッチの操作部）
【図１】
0005853193.tif 000002
【図２】
0005853193.tif 000003
【図３】
0005853193.tif 000004
【図４】
0005853193.tif 000005
【図５】
0005853193.tif 000006
【図６】
0005853193.tif 000007
【図７】
0005853193.tif 000008
【図８】
0005853193.tif 000009
【図９】
0005853193.tif 000010
【図１０】
0005853193.tif 000011
【図１１】
0005853193.tif 000012